【手続補正書】
【提出日】平成22年9月10日(2010.9.10)
【手続補正１】
【補正対象書類名】特許請求の範囲
【補正対象項目名】全文
【補正方法】変更
【補正の内容】
【特許請求の範囲】
【請求項１】
無線通信システム内で信号を伝送する方法であり、
本方法において、信号は、第１通信デバイスから第２通信デバイスに伝送され、
前記信号は、連続したフレーム内で伝送され、
それぞれのフレームは、プリアンブル情報を含むプリアンブルセクションを持っており、
前記第１通信デバイス及び前記第２通信デバイスの少なくとも１つが、異なる位置にステアリングすることができるよう適応されたビームアンテナを持ち、
それぞれの前記異なる位置が、前記第１通信デバイスから前記第２通信デバイスへの複数の異なる伝送経路の１つに対応しており、
本方法は、
前記ビームアンテナが、現在の伝送経路に対応する現在の位置にあるとき、
現在の伝送経路のチャネル品質の評価を可能とするプリアンブル情報を含む第１プリアンブルセクションを送受信するステップと、
前記ビームアンテナを、前記現在の位置から、候補伝送経路に対応する異なる位置にステアリングするステップと、
前記ビームアンテナが、前記異なる位置にあるとき、
前記候補伝送経路のチャネル品質の評価を可能とするプリアンブル情報を含む第２プリアンブルセクションを送受信するステップと、
を含むことを特徴とする、無線通信システム内で信号を伝送する方法。
【請求項２】
少なくともいくつかの前記フレームが、第１プリアンブルセクションと第２プリアンブルセクションとを含むことを特徴とする、請求項１に記載の方法。
【請求項３】
全てのフレームが、第１プリアンブルセクションと第２プリアンブルセクションとを含むことを特徴とする、請求項１または２に記載の方法。
【請求項４】
前記第１プリアンブルセクションおよび前記第２プリアンブルセクションが、異なるフレーム内で伝送されることを特徴とする、請求項１に記載の方法。
【請求項５】
第１プリアンブルセクションを含む伝送されるフレーム数に対する第２プリアンブルセクションを含む伝送されるフレーム数が、現在の伝送経路に関する、検出されたチャネル品質に依存して変更されることを特徴とする、請求項４に記載の方法。
【請求項６】
第１プリアンブルセクションを含む伝送されるフレーム数に対する第２プリアンブルセクションを含む伝送されるフレーム数が、第１通信デバイス、および／または第２通信デバイスに関する、検出された移動情報に依存して変更されることを特徴とする、請求項４または５に記載の方法。
【請求項７】
第２プリアンブルセクションを含むそれぞれのフレームの後に、第１プリアンブルセクションを含む標準的に伝送されるフレームに比べて長いフレーム長を持つ、第１プリアンブルセクションを含むフレームが伝送されることを特徴とする、請求項４〜６のいずれか１項に記載の方法。
【請求項８】
第１プリアンブルセクションと第２プリアンブルセクションが、互いに異なることを特徴とする、請求項４〜７のいずれか１項に記載の方法。
【請求項９】
無線通信システム内で信号を伝送する伝送デバイス（１）であり、
前記デバイスにおいて、前記信号が、連続したフレーム内で伝送され、
それぞれのフレームは、プリアンブル情報を持つプリアンブルセクションを持っており、
前記伝送デバイスは、
前記伝送デバイスから受信デバイスへの複数の異なる伝送経路の１つにそれぞれ対応する異なる位置にステアリングすることができるよう適応されるビームアンテナ（２）と、
前記ビームアンテナ（２）を異なる位置にステアリングするように適応されるステアリング手段（４）と、
プリアンブル情報を含むプリアンブルセクションを発生させるように適応されるプリアンブル発生手段（９）と、
前記ビームアンテナ（２）が現在の伝送経路に対応する現在の位置にあるとき、前記現在の伝送経路のチャネル品質の評価を可能とするプリアンブル情報を含む第１プリアンブルセクションの伝送を制御するよう適応され、
さらに、前記ビームアンテナ（２）が候補伝送経路に対応する異なる位置にステアリングされた後に、前記候補伝送経路のチャネル品質の評価を可能とするプリアンブル情報を含む第２プリアンブルセクションの伝送を制御するよう適応される制御手段（５）と、
を含むことを特徴とする、伝送デバイス（１）。
【請求項１０】
前記制御手段（５）が、第１プリアンブルセクションおよび第２プリアンブルセクションを含む少なくともいくつかのフレームの伝送を制御するよう適応されることを特徴とする、請求項９に記載の伝送デバイス（１）。
【請求項１１】
前記制御手段（５）が、全てのフレームが第１プリアンブルセクションおよび第２プリアンブルセクションを含むように信号の伝送を制御するよう適応されることを特徴とする、請求項９または１０に記載の伝送デバイス（１）。
【請求項１２】
前記制御手段（５）が、異なるフレーム内で前記第１プリアンブルセクションおよび前記第２プリアンブルセクションが伝送されるように信号の伝送を制御するよう適応されることを特徴とする、請求項１０に記載の伝送デバイス（１）。
【請求項１３】
前記制御手段（５）が、第１プリアンブルセクションを含むフレーム数に対する第２プリアンブルセクションを含むフレーム数を、現在の伝送経路に関して検出されたチャネル品質に依存して変更するように適応されることを特徴とする、請求項１２に記載の伝送デバイス（１）。
【請求項１４】
前記制御手段（５）が、第１プリアンブルセクションを含む伝送されるフレーム数に対する第２プリアンブルセクションを含む伝送されるフレーム数を、伝送デバイス、および／または受信デバイスに関して検出された移動情報に依存して変更するように適応されることを特徴とする、請求項１２または１３に記載の伝送デバイス（１）。
【請求項１５】
前記制御手段（５）が、第２プリアンブルセクションを含むそれぞれのフレームの後に、第１プリアンブルセクションを含む標準的に伝送されるフレームに比べて長いフレーム長を持つ、第１プリアンブルセクションを含むフレームが伝送されるように、信号の伝送を制御するように適応されることを特徴とする、請求項１２〜１４のいずれか１項に記載の伝送デバイス（１）。
【請求項１６】
第１プリアンブルセクションと第２プリアンブルセクションが、互いに異なることを特徴とする、請求項１２〜１５のいずれか１項に記載の伝送デバイス（１）。
【請求項１７】
無線通信システム内で信号を受信する受信デバイス（１０）であり、
前記デバイスにおいて、前記信号が、連続したフレーム内で送受信され、
それぞれのフレームは、プリアンブル情報を持つプリアンブルセクションを持っており、
前記受信デバイス（１０）は、
伝送デバイスから前記受信デバイスへの複数の異なる伝送経路の１つにそれぞれ対応する異なる位置にステアリングすることができるよう適応されるビームアンテナ（１１）と、
前記ビームアンテナ（１１）を異なる位置にステアリングするように適応されるステアリング手段（１３）と、
受信されたプリアンブル情報に基づいてチャネル品質を評価するよう適応されるチャネル評価手段（１６）と、
前記ビームアンテナ（１１）が現在の伝送経路に対応する現在の位置にあるとき、前記現在の伝送経路のチャネル品質の評価を可能とするプリアンブル情報を含む第１プリアンブルセクションの受信を制御するよう適応され、
さらに、前記ビームアンテナ（１１）が候補伝送経路に対応する異なる位置にステアリングされた後に、前記候補伝送経路のチャネル品質の評価を可能とするプリアンブル情報を含む第２プリアンブルセクションの受信を制御するよう適応される制御手段（１４）と、
を含むことを特徴とする、受信デバイス（１０）。
【請求項１８】
前記制御手段（１４）が、第１プリアンブルセクションおよび第２プリアンブルセクションを含む少なくともいくつかのフレームの受信を制御するよう適応されることを特徴とする、請求項１７に記載の受信デバイス（１０）。
【請求項１９】
前記制御手段（１４）が、全てのフレームが第１プリアンブルセクションおよび第２プリアンブルセクションを含む信号の受信を制御するよう適応されることを特徴とする、請求項１７または１８に記載の受信デバイス（１０）。
【請求項２０】
前記制御手段（１４）が、異なるフレーム内で前記第１プリアンブルセクションおよび前記第２プリアンブルセクションが伝送されるような信号の受信を制御するよう適応されることを特徴とする、請求項１７に記載の受信デバイス（１０）。
【請求項２１】
前記制御手段（１４）が、第１プリアンブルセクションを含むフレーム数に対する第２プリアンブルセクションを含むフレーム数が現在の伝送経路に関して検出されたチャネル品質に依存して変更されるような信号の受信を制御するよう適応されることを特徴とする、請求項２０に記載の受信デバイス（１０）。
【請求項２２】
前記制御手段（１４）が、第１プリアンブルセクションを含む伝送されるフレーム数に対する第２プリアンブルセクションを含む伝送されるフレーム数が第１通信デバイス、および／または第２通信デバイスに関して検出された移動情報に依存して変更されるような信号の受信を制御するよう適応されることを特徴とする、請求項２０または２１に記載の受信デバイス（１０）。
【請求項２３】
前記制御手段（１４）が、第２プリアンブルセクションを含むそれぞれのフレームの後に、第１プリアンブルセクションを含む標準的に伝送されるフレームに比べて長いフレーム長を持つ、第１プリアンブルセクションを含むフレームが受信されるように、信号の受信を制御するように適応される
ことを特徴とする、請求項２０〜２２のいずれか１項に記載の受信デバイス（１０）。
【請求項２４】
制御手段が、互いに異なる第１プリアンブルセクションと第２プリアンブルセクションの受信を制御するように適応されることを特徴とする、請求項２０〜２３のいずれか１項に記載の受信デバイス（１０）。
【手続補正２】
【補正対象書類名】明細書
【補正対象項目名】０００１
【補正方法】変更
【補正の内容】
【０００１】
本発明は、少なくとも１つのステアリング可能なビームアンテナを用いて信号を受信し、高速なデータレートの伝送を可能とする特別なフレーム構造によって、無線通信システム内で信号を受信する受信デバイスと、無線通信システム内で信号を伝送する方法とデバイスとに関する。
【手続補正３】
【補正対象書類名】明細書
【補正対象項目名】０００５
【補正方法】変更
【補正の内容】
【０００５】
本発明に従った方法は、無線通信システム内で信号を伝送する方法であり、本方法において、信号は、第１通信デバイスから第２通信デバイスに伝送され、前記信号は、連続したフレーム内で伝送され、それぞれのフレームは、プリアンブル情報を含むプリアンブルセクションを持っており、前記第１通信デバイス及び前記第２通信デバイスの少なくとも１つが、異なる位置にステアリングすることができるよう適応されたビームアンテナを持ち、それぞれの前記異なる位置が、前記第１通信デバイスから前記第２通信デバイスへの複数の異なる伝送経路の１つに対応しており、本方法は、前記ビームアンテナが、現在の伝送経路に対応する現在の位置にあるとき、現在の伝送経路のチャネル品質の評価を可能とするプリアンブル情報を含む第１プリアンブルセクションを送受信するステップと、前記ビームアンテナを、前記現在の位置から、候補伝送経路に対応する異なる位置にステアリングするステップと、前記ビームアンテナが、前記異なる位置にあるとき、前記候補伝送経路のチャネル品質の評価を可能とするプリアンブル情報を含む第２プリアンブルセクションを送受信するステップとを含む。
【手続補正４】
【補正対象書類名】明細書
【補正対象項目名】０００７
【補正方法】変更
【補正の内容】
【０００７】
本発明に従った伝送デバイスは、無線通信システム内で信号を伝送する伝送デバイスであり、前記デバイスにおいて、前記信号が、連続したフレーム内で伝送され、それぞれのフレームは、プリアンブル情報を持つプリアンブルセクションを持っており、異なる位置にステアリングすることができるよう適応されたビームアンテナを含み、それぞれの前記異なる位置が、前記伝送デバイスから受信デバイスへの複数の異なる伝送経路の１つに対応しており、ステアリング手段は、前記アンテナを異なる位置にステアリングするように適応されており、プリアンブル発生手段は、プリアンブル情報を含むプリアンブルセクションを発生させるように適応されており、制御手段は、前記ビームアンテナが現在の伝送経路に対応する現在の位置にあるとき、前記現在の伝送経路のチャネル品質の評価を可能とするプリアンブル情報を含む第１プリアンブルセクションの伝送を制御するよう適応されており、さらに、前記ビームアンテナが候補伝送経路に対応する異なる位置にステアリングされた後に、前記候補伝送経路のチャネル品質の評価を可能とするプリアンブル情報を含む第２プリアンブルセクションの伝送を制御するよう適応されている。
【手続補正５】
【補正対象書類名】明細書
【補正対象項目名】０００９
【補正方法】変更
【補正の内容】
【０００９】
本発明に従った受信デバイスは、無線通信システム内で信号を受信する受信デバイスであり、前記デバイスにおいて、前記信号が、連続したフレーム内で送受信され、それぞれのフレームは、プリアンブル情報を持つプリアンブルセクションを持っており、異なる位置にステアリングすることができるよう適応されたビームアンテナを含み、それぞれの前記異なる位置が、伝送デバイスから受信デバイスへの複数の異なる伝送経路の１つに対応しており、ステアリング手段は、前記アンテナを異なる位置にステアリングするように適応されており、チャネル評価手段は、受信されたプリアンブル情報に基づいてチャネル品質を評価するよう適応されており、制御手段は、前記ビームアンテナが現在の伝送経路に対応する現在の位置にあるとき、前記現在の伝送経路のチャネル品質の評価を可能とするプリアンブル情報を含む第１プリアンブルセクションの受信を制御するよう適応されており、さらに、前記ビームアンテナが候補伝送経路に対応する異なる位置にステアリングされた後に、前記候補伝送経路のチャネル品質の評価を可能とするプリアンブル情報を含む第２プリアンブルセクションの受信を制御するよう適応されている。
【手続補正６】
【補正対象書類名】明細書
【補正対象項目名】００１１
【補正方法】変更
【補正の内容】
【００１１】
それゆえ、本発明は、複雑で高速な処理を必要としない、ミリ波長領域における高速なデータレートの無線通信に関する解決方法を提供する。特に、伝送データレートが高速であるとき、例えば１Ｇｂｐｓあるいはそれ以上の領域において、フレーム誤り率（ＦＥＲ：ｆｒａｍｅ  ｅｒｒｏｒ  ｒａｔｅ）の性能を同等のビット誤り率（ＢＥＲ：ｂｉｔ  ｅｒｒｏｒ  ｒａｔｅ）より低く保つために、フレーム長は短縮される。フレーム長が短くなる程、例えばプリアンブル情報の様な、ビームステアリングアルゴリズムに必要なオーバーヘッドは大きくなる。本発明は、異なるタイプのフレームの定義を含む新しいフレーム構造と、ビームアンテナのステアリングと高速なデータレートの両方を持つ無線データ通信を可能とするための、このような新しいタイプのフレームの組み合わせ方とを定義することによって、このオーバーヘッドを減らすことを可能とする。このような本発明の明確な利点は、ビームステアリングのために付加されるオーバーヘッドが少ないことと、フレーム誤り率の性能を同等のビット誤り率より低くなるよう改善するために、高速なデータレートの無線通信システムに関してフレーム長を短縮できることと、ビームステアリングの速度を動的に変化させ、増大することができることである。
【手続補正７】
【補正対象書類名】明細書
【補正対象項目名】００１３
【補正方法】変更
【補正の内容】
【００１３】
本発明は、あらゆる種類の領域上で信号を伝送および受信することが可能な、あらゆる種類の無線通信システムに適応することができる点に注意すべきである。さらに、本発明は、いかなる種類の変調方式や無線通信の技術的実装にも限定されない。しかし、本発明のいくつかの実施形態と実装は、例えば６０Ｇｈｚの伝送領域のようなミリ波領域内で信号が伝送される、短距離および／または中距離無線通信システム内で利点がある。さらに、本発明の伝送デバイスおよび受信デバイスは、無線通信システム内で信号をそれぞれ伝送および受信するよう適応されたあらゆる種類のデバイスでありうる。“伝送デバイス”および“受信デバイス”という用語は、ここでは、移動できる、および／または固定されたあらゆる種類の通信装置、通信ユニット、通信手段、通信システムなどから構成されていることを意味している。本発明に従えば、伝送デバイスから受信デバイスに伝送される信号は、あらゆる理由と有効性のために伝送者から受信者に伝送される、あらゆる種類の情報、データ、符号などから構成されている。本発明によれば、伝送デバイスおよび受信デバイスの少なくとも１つは、異なる位置にステアリングされるよう適応されたビームアンテナを含む。いくつかの実装では、伝送デバイスと受信デバイスのそれぞれが、異なる位置にステアリングされるよう適応されたナロービームアンテナを含むことが好適である場合がある。“ナロービームアンテナ”という用語は、ここでは、特定の送受信方向を持たない全方位アンテナと逆で、特定のアンテナビームの形に限定されず、特定の送受信方向を持つあらゆる種類のアンテナで構成され、カバーされていることを意味している。さらに、本発明のナロービームアンテナは、どのような特定のステアリングタイプにも限定されない。特定のステアリングタイプとは、例えば、ナロービームアンテナの送受信方向が変更されたり、スイッチされたり、変化したりすると、異なる送受信位置にナロービームアンテナをステアリングまたはスイッチングすることを可能とする特定の技術的実装である。後述の例には限定されないが、例えば、本発明に従ったナロービームアンテナは、ビームの方向が変化したため、機械的に、あるいは電気的にアンテナをシフトすることによって変化させることが可能な、固定ナロービーム放射パターン（ｆｉｘｅｄ  ｎａｒｒｏｗ  ｂｅａｍ  ｒａｄｉａｔｉｏｎ  ｐａｔｔｅｒｎ）を伴うアンテナである場合がある。さらに、ナロービームアンテナは、ビームの方向が変化したため、アンテナの位相および／または利得（ｇａｉｎ）を変化させることによってステアリングされるタイプのアンテナであることもある。さらに別の場合は、ナロービームアンテナは、アンテナパターンのそれぞれのアンテナ要素が特定のナロービームアンテナ方向を持っており、その要素が、アンテナのビーム方向が変更されるという方法によって制御されることが可能であるアンテナパターンを含む。ステアリング可能なナロービームアンテナについての、現在知られている、あるいは将来的に開発される、他の多くの例があるが、それらは、本発明の技術的な範囲内に含まれるものである。